(57)【要約】      （修正有）【課題】睫毛を挟む一方の部品を交換可能にすることで、１個の器具を用いて睫毛のどの部分でもカールすることができる経済的なアイラッシュカーラーを提供する。【解決手段】固定部材２２に第一係合手段としての筐状体２６を備え、弾性体２０と共に睫毛を挟むヘラ部３６を有する交換用ヘラに第一係合手段と係合する第二係合手段としての板バネ４０を備える。交換用ヘラにおいては、ヘラ部３６の下縁を目的に応じた形状にしたものを複数個用意し、目的に応じた交換用ヘラを固定部材２２に着脱自在に取付ける。本発明では交換用ヘラを固定部材２２に着脱自在に取り付けることができるので、１個の器具と複数個の交換用ヘラを用意するだけで、睫毛のいろいろな箇所に部分カールを施すことができる。【選択図】      図２
2004229722.tif 000002
【特許請求の範囲】
【請求項１】
一対の支柱と、その一対の支柱に沿って移動可能な可動部材と、その可動部材に取付けられる弾性体と、前記一対の支柱に固定される固定部材とを有するアイラッシュカーラーにおいて、前記固定部材に第一係合手段を取付け、前記弾性体とで睫毛を挟持するためのヘラ部と前記第一係合手段と係合するための第二係合手段を備える交換用ヘラを有し、前記第一係合手段と前記第二係合手段とを係合することによって前記交換用ヘラを前記固定部材に着脱自在に取付けることを特徴とするアイラッシュカーラー。
【請求項２】
前記ヘラ部における瞼側に対向する表面と、前記固定部材の瞼側に対向する表面とを同一湾曲面上に配置することを特徴とする請求項１記載のアイラッシュカーラー。
【請求項３】
前記第一係合手段が前記固定部材に固定するものであって挿入用空間とその挿入用空間と連絡する窓部とを備えた筐状体から成り、前記第二係合手段が前記ヘラ部に固定され前記挿入用空間に挿入可能な枠部とその枠部に一端が固定される板バネとから成ることを特徴とする請求項１記載のアイラッシュカーラー。
【請求項４】
前記ヘラ部の横幅の全長を前記挿入用空間に嵌合させることを特徴とする請求項３記載のアイラッシュカーラー。
【請求項５】
前記第二係合手段が前記固定部材に固定するものであって挿入用空間とその挿入用空間と連絡する窓部とを備えた筐状体から成り、前記第一係合手段が前記ヘラ部に固定され前記挿入用空間に挿入可能な枠部とその枠部に一端が固定される板バネとから成ることを特徴とする請求項１記載のアイラッシュカーラー。
【請求項６】
前記交換用ヘラにおいて、前記ヘラ部における前記弾性体に対向する縁が前記弾性体側に突出する突出部とその突出部よりへこんでいるへこみ部とを有することを特徴とする請求項１乃至５記載のアイラッシュカーラー。
【発明の詳細な説明】
【０００１】
【発明の属する技術分野】
本発明は、睫毛をカールするためのアイラッシュカーラーに関するものである。
【０００２】
【従来の技術】
従来から、上側または下側の睫毛全体を上下に挟んで睫毛をカールするアイラッシュカーラーが知られている。また、睫毛の一部分をカールするためのアイラッシュカーラーも従来から知られており、その技術は特許文献１に提供されている。
【０００３】
【特許文献１】
特開２００２−１５９３２２（図１乃至図９）
【０００４】
【発明が解決しようとする課題】
睫毛の一部分のみをカールする従来のアイラッシュカーラーは、睫毛を挟む上側の部品（２本の支柱に固定される固定部材）の下縁と、睫毛を挟む下側の部品２本の支柱に対して移動自在な可動部材に取付けられる弾性先端部）の上縁とのいずれかの縁に、対面する縁と接触する当接部と対面する縁と接触しない非当接部（凹部）とを形成している。非当接部（凹部）は、固定部材の下縁において左側や右側や中央のいずれにも形成できるものであり、弾性先端部の上縁においても左側や右側や中央のいずれにも形成できるものである。睫毛を挟む上側の部品である固定部材は２本の支柱に固定されており、弾性先端部を取付けている可動部材も２本の支柱から外れない状態になっている。このため、睫毛の一部のみをカールしたい場合には、カールしたい箇所毎のアイラッシュカーラーを必要とし、全部のアイラッシュカーラーを揃えるとなると非常にコストが高くなるという不具合があった。
【０００５】
本発明は、睫毛を挟む一方の部品を交換可能にすることで、１個の器具を用いて睫毛のどの部分でもカールすることができる経済的なアイラッシュカーラーを提供することを目的とする。
【０００６】
【課題を解決するための手段】
本発明に係るアイラッシュカーラーは、一対の支柱と、その一対の支柱に沿って移動可能な可動部材と、その可動部材に取付けられる弾性体と、前記一対の支柱に固定される固定部材とを有するアイラッシュカーラーにおいて、前記固定部材に第一係合手段を取付け、前記弾性体とで睫毛を挟持するためのヘラ部と前記第一係合手段と係合するための第二係合手段を備える交換用ヘラを有し、前記第一係合手段と前記第二係合手段とを係合することによって前記交換用ヘラを前記固定部材に着脱自在に取付けるようにしたものである。
【０００７】
本発明に係るアイラッシュカーラーは、前記ヘラ部における瞼側に対向する面と、前記固定部材の瞼側に対向する面とを同一湾曲面上に配置するようにしたものである。本発明はまた、前記第一係合手段が前記固定部材に固定するものであって挿入用空間とその挿入用空間と連絡する窓部とを備えた筐状体から成り、前記第二係合手段が前記ヘラ部に固定され前記挿入用空間に挿入可能な枠部とその枠部に一端が固定される板バネとから成るようにしたものである。本発明は更に、前記第二係合手段が前記固定部材に固定するものであって挿入用空間とその挿入用空間と連絡する窓部とを備えた筐状体から成り、前記第一係合手段が前記ヘラ部に固定され前記挿入用空間に挿入可能な枠部とその枠部に一端が固定される板バネとから成るようにしたものである。本発明は、前記交換用ヘラにおいて、前記ヘラ部における前記弾性体に対向する縁が前記弾性体側に突出する突出部とその突出部よりへこんでいるへこみ部とを有するものである。
【０００８】
【作用】
睫毛を挟む一方の部品を、固定部材に着脱自在に取付けられるものであって弾性体と共に睫毛を挟むヘラ部を有する交換用ヘラとする。固定部材に第一係合手段を設け、交換用ヘラに第一係合手段と係合する第二係合手段を設ける。睫毛のいろいろな部分をカールするヘラ部毎に、交換用ヘラを用意する。複数個の交換用ヘラの中から目的に応じた交換用ヘラを固定部材に着脱自在に取り付けることによって、睫毛のいろいろな箇所の部分カールを施すことができる。従来は睫毛のいろいろな箇所に部分カールを施す場合に多数個のアイラッシュカーラーを必要としたが、本発明では１個の器具と複数個の交換用ヘラを用意するだけで良く、従来と比べて非常に経済的である。
【０００９】
【発明の実施の形態】
次に、本発明を図面に基づいて説明する。
図１は本発明に係るアイラッシュカーラーの正面図、図２は図１の側面図、図３は本発明に使用する固定部材と交換用ヘラとを分解した状態を示す正面図、図４は本発明に使用する固定部材と交換用ヘラとを分解した状態を示す拡大断面図、図５は図４に示す固定部材のＡ−Ａ線断面図である。図１及び図２に示すように、アイラッシュカーラーは、２個の指掛け部１０，１２と、一対の支柱１４と、指掛け部１０，１２の操作によって上下に移動するリンク腕１６と、そのリンク腕１６に固定され一対の支柱１４に沿って移動する湾曲状の可動部材１８と、その可動部材１８の上に取付けられる弾性体２０と、一対の支柱１４の上端に固定される湾曲状の固定部材２２とを有する。
【００１０】
本発明では、前記弾性体２０と共に睫毛を挟持する湾曲状の交換用ヘラ２４（図３及び図４）を前記固定部材２２に着脱自在に取付けるようにしたものである。図３，図４及び図５に示すように、固定部材２２における湾曲の外側の中央位置に第一係合手段としての筐状体２６が固定される。筐状体２６は、その内部に挿入用空間２８を有し（筐状体２６と固定部材２２とによって挿入用空間２８を形成し）、その下側に挿入用空間２８と通じる開口部３０を有し、その外側の中央に挿入用空間２８と通じる窓部３２を有する。
【００１１】
交換用ヘラ２４は、図３及び図４に示すように、前記弾性体２０の上縁とによって睫毛を挟持するための下縁３４を有する湾曲状のヘラ部３６と、そのヘラ部３６と一体に形成される枠部３８と、枠部３８に対して揺動自在な第二係合手段としての板バネ４０とから成る。交換用ヘラ２４の材質はステンレスや合成樹脂が望ましいが、それらに限るものではない。板バネ４０は、一辺が枠部３８と固定されている例えば四角い板形状のもので、その他の三辺は枠部３８から離れでいる。図４の（ａ）に示すように、板バネ４０に外力が働かない状態では、板バネ４０の自由端４２は枠部３８より外方に突出した状態になるよう設定されている。図４の（ｂ）に示すように、板バネ４０の自由端４２に近い位置を矢印の方向に押すと、板バネ４０は枠部３８と一致する位置に移動するよう設定されている。
【００１２】
交換用ヘラ２４を固定部材２２に取付ける場合には、図４において交換用ヘラ２４の枠部３８を、固定部材２２の筐状体２６の開口部３０から筐状体２６の挿入用空間２８に向けて挿入する。枠部３８を筐状体２６の挿入用空間２８に挿入した状態を図６に示す。枠部３８を筐状体２６挿入用空間２８に挿入する途中では、板バネ４０は筐状体２６に押されて図４の（ｂ）の状態となるが、挿入が終了した図６の時点では板バネ４０は筐状体２６によって押されなくなり、板バネ４０の自由端４２は枠部４２から外側に突出する（窓部３２内に突出する）。この図６の状態から交換用ヘラ２４を固定部材２２に対して下方に引張ったとしても、板バネ４０の自由端４２は筐状体２６の窓部３２の縁に当接して、交換用ヘラ２４は図６で下方に移動することはない。これによって、交換用ヘラ２４は固定部材２２に固定された状態になる。
【００１３】
図４並びに図６に示すように、交換用ヘラ２４のヘラ部３６は、枠部３８に対して偏位した状態にするのが望ましい。図６に示すように、ヘラ部３６における瞼側に対向する表面４４は、固定部材２２の瞼側に対向する表面４６と同一湾曲面上に配置するのが望ましい。これによって、交換用ヘラ２４を固定部材２２に取付けた場合に、瞼側に対向するヘラ部３６の表面４４と固定部材２２面の表面４６には段差が生じることがなくなり、使用者に違和感を感じさせることはない。
【００１４】
図３に示す交換用ヘラ２４のヘラ部３６の下縁３４は、同一平面上に位置するものであり、この交換用ヘラ２４は睫毛全体を均一にカールするためのものである。交換用ヘラ２４の他の種類としては、例えば図７の（ａ）や図７の（ｂ）に示すものがある。図７の（ａ）や図７の（ｂ）は、図１や図３と同じ方向から見た状態の正面図である。図７の（ａ）では、ヘラ部３６の下縁３４が、図で右側の半分が下方に突出する突出部４８を有し、左側の半分が前記突出部４８と比べて上方にへこんでいるへこみ部５０を有している。これは、突出部４８と前記弾性体２０とで挟んでカールさせる睫毛の箇所を、へこみ部５０と前記弾性体２０とで挟んでカールさせる睫毛の箇所より、より大きくカールさせるためのものである。ここで、図７の（ａ）の交換用ヘラ２４で右目の睫毛をカールさせる場合は、右目元側の睫毛を右目尻側の睫毛よりアップすることができる。また、この図７の（ａ）の交換用ヘラ２４で左目の睫毛をカールさせる場合は、左目尻の睫毛を左目元よりアップするためのものである。このように、睫毛を部分的にカールすることにより、目を大きく見せたり切れ長に見せたりすることができ、それによって目を美しく見せることができる。
【００１５】
図７の（ｂ）では、ヘラ部３６の下縁３４が、図で左側の半分が下方に突出する突出部４８を有し、右側の半分が前記突出部４８と比べて上方にへこんでいるへこみ部５０を有している。ここで、図７の（ｂ）の交換用ヘラ２４で左目の睫毛をカールさせる場合は、左目元側の睫毛を左目尻側の睫毛よりアップすることができる。また、この図７の（ｂ）の交換用ヘラ２４で右目の睫毛をカールさせる場合は、右目尻の睫毛を右目元よりアップするためのものである。この図７の（ｂ）の交換用ヘラ２４を使用した場合においても、睫毛を部分的にカールすることにより、目を大きく見せたり切れ長に見せたりすることができ、それによって目を美しく見せることができる。
【００１６】
交換用ヘラ２４の他の種類としては、図７の（ａ）や図７の（ｂ）に示すものの他に、図８の（ａ）や図８の（ｂ）に示すものがある。図８の（ａ）は、ヘラ部３６の下縁３４が、図で左右外側に下方に突出する突出部４８を有すると共に、中央部側が前記突出部４８と比べて上方にへこんでいるへこみ部５０を有するものである。この図８の（ａ）に示す交換用ヘラ２４は、睫毛の目尻側や目元側を中央部側と比べてより大きくカールするためのものである。図８の（ｂ）は、ヘラ部３６の下縁３４が、図で中央部側に下方に突出する突出部４８を有すると共に、左右外側に前記突出部４８と比べて上方にへこんでいるへこみ部５０を有するものである。この図８の（ｂ）に示す交換用ヘラ２４は、睫毛の中央部側を目尻側や目元側と比べてより大きくカールするためのものである。
【００１７】
交換用ヘラ２４を固定部材２２に取付けた図６の状態から、交換用ヘラ２４を交換する場合について説明する。先ず、図６において板バネ４０を矢印の方向に押して、板バネ４０を図４の（ｂ）の状態とし、板バネ４０と筐状体２６との係合状態を外す。その後、交換用ヘラ２４を固定部材２２に対して、図６で下方に引っ張る。これによって、交換用ヘラ２４を固定部材２２から外すことができる。その後、所望の形状のヘラ部３６を有する交換用ヘラ２４を選択し、その枠部３８を固定部材２２の筐状体２６に挿入する。挿入が終了すると、交換用ヘラ２４は固定部材２２に外れることなく取付けられる。
【００１８】
なお、図３乃至図５においては、交換用ヘラ２４と筐状体２６との嵌合挿入箇所の横幅は、図３に示すように枠部３８の横幅Ｘとなっている。ここで、図９乃至図１１に、図３乃至図５に示すものと比べて、交換用ヘラと筐状体との嵌合箇所の横幅の長さを大きくした他の例を示す。図９は固定部材と他の交換用ヘラとを分解した状態を示す正面図、図１０は図９の状態から固定部材と交換用ヘラとを嵌合した状態を示す正面図、図１１は図１０におけるＢ−Ｂ線断面図、図１２は図１０におけるＣ−Ｃ線断面図である。図９乃至図１２において図３乃至図５と同一符号は同一部材を示す。固定部材２２に固定する筐状体５２は、図３乃至図５に示す筐状体２６よりも横幅を広くする。この筐状体５２と固定部材２２とで、交換用ヘラ２４の枠部３８を受け入れるための挿入用空間２８（図１１）と、図９に示すへら部５４の横幅の全長Ｙを受け入れるための挿入用空間５６（図１２）とを形成する。図１０に示すように、へら部５４の横幅の全長Ｙを挿入用空間５６に嵌合させることによって、交換用ヘラ２４を固定部材２２に対して揺動することなく確実に保持することができる。また、へら部５４とその下縁５８は、図１１並びに示すように、挿入用空間２８や挿入用空間５６と同一平面に位置するようにしても良い。
【００１９】
なお、前述の説明では、固定部材２２に第一係合手段としての筐状体２６を備え、交換用ヘラ２４に第二係合手段としての板バネ４０を有する枠部３８を備えるようにした。それに代えて、図１３に示すように、固定部材２２に第一係合手段としての板バネ４０を有する枠部３８を備え、交換用ヘラ２４に第二係合手段としての筐状体２６を備えるようにしても良い。また、固定部材２２と交換用ヘラ２４とを着脱自在とする係合手段としては、筐状体２６と板バネ４０を備えた枠部３８とに限るものではない。
【００２０】
前述の説明は、上側の睫毛をカールする状態についてのものであるが、下側の睫毛をカールする場合には、アイラッシュカーラーを上下逆さまにして使用すれば良い。
【００２１】
【発明の効果】
以上説明したように、本発明に係るアイラッシュカーラーによれば、睫毛の異なる箇所をカールするヘラ部を有する交換用ヘラを複数個用意し、その複数個の交換用ヘラを固定部材に着脱自在に取り付けるようにしたものである。これによって、１個の器具と複数個の交換用ヘラを用意するだけで良く、従来のような多数個のアイラッシュカーラーを必要としないので、従来に比べて非常に経済的である。また、交換用ヘラのヘラ部の瞼側の表面と固定部材との瞼側の表面を同一面上に配置することで、使用者に違和感を感じさせないようにすることができる。
【図面の簡単な説明】
【図１】本発明に係るアイラッシュカーラーの正面図である。
【図２】図１の側面図である。
【図３】本発明に使用する固定部材と交換用ヘラとを分解した状態を示す正面図である。
【図４】本発明に使用する固定部材と交換用ヘラとの拡大分解縦断面図である。
【図５】図４に示す固定部材のＡ−Ａ線断面図である。
【図６】固定部材と交換用ヘラとを係合した状態を示す縦断面図である。
【図７】本発明に使用する他の交換用ヘラの正面図である。
【図８】本発明に使用するその他の交換用ヘラの正面図である。
【図９】本発明に使用する他の固定部材と他の交換用ヘラとを分解した状態を示す正面図である。
【図１０】図９の状態から固定部材と交換用ヘラとを係合した状態を示す正面図である。
【図１１】図１０におけるＢ−Ｂ線断面図である。
【図１２】図１０におけるＣ−Ｃ線断面図である。
【図１３】本発明に使用する他の固定部材と他の交換用ヘラとを分解した状態を示す正面図である。
【符合の説明】
１４  支柱
１８  可動部材
２０  弾性体
２２  固定部材
２４  交換用ヘラ
２６  筐状体
２８  挿入用空間
３２  窓部
３４  下縁
３６  ヘラ部
３８  枠部
４０  板バネ
４４  表面
４６  表面
４８  突出部
５０  へこみ部
５２  筐状体
５４  ヘラ部
５６  挿入用空間
【図１】
2004229722.tif 000003
【図２】
2004229722.tif 000004
【図３】
2004229722.tif 000005
【図４】
2004229722.tif 000006
【図５】
2004229722.tif 000007
【図６】
2004229722.tif 000008
【図７】
2004229722.tif 000009
【図８】
2004229722.tif 000010
【図９】
2004229722.tif 000011
【図１０】
2004229722.tif 000012
【図１１】
2004229722.tif 000013
【図１２】
2004229722.tif 000014
【図１３】
2004229722.tif 000015